(57)【要約】【課題】伸張された画像データを格納するメモリの容量が小さく、かつ、画像を任意のサイズに変更すること。【解決手段】画像処理装置は、圧縮画像データメモリと、画像の一部を構成する領域毎に圧縮画像データを伸張する画像伸張部と、伸張された一領域の画像データを格納する伸張画像データメモリと、伸張画像データメモリに格納されている画像データが示す領域に隣接する領域の境界画像データを格納する境界画像データメモリと、伸張画像データメモリから読み出した画像データが示す領域の画像のサイズを変更する画像サイズ変更部と、伸張画像データメモリの容量及び境界画像データメモリの容量に基づいて、画像伸張部が伸張する領域を決定する制御部を備える。制御部は、制御部によって決定された領域の圧縮画像データを伸張した画像データのサイズが伸張画像データメモリの容量以下かつ境界画像データメモリの容量以下となるよう、画像伸張部が伸張する領域の大きさを決定する。【選択図】図１
2007329752.tif 000002
【特許請求の範囲】
【請求項１】
圧縮画像データを格納する圧縮画像データメモリと、
画像の一部を構成する領域毎に、前記圧縮画像データメモリから読み出した圧縮画像データを伸張する画像伸張部と、
前記画像伸張部によって伸張された一領域の画像データを格納する伸張画像データメモリと、
前記伸張画像データメモリに格納されている画像データが示す領域に隣接する領域の境界画像データを格納する境界画像データメモリと、
前記伸張画像データメモリから読み出した画像データが示す領域の画像のサイズを変更する画像サイズ変更部と、
前記伸張画像データメモリの容量及び前記境界画像データメモリの容量に基づいて、前記画像伸張部が伸張する領域を決定する制御部と、を備え、
前記制御部は、前記制御部によって決定された領域の圧縮画像データを伸張した画像データのサイズが前記伸張画像データメモリの容量以下かつ前記境界画像データメモリの容量以下となるよう、前記画像伸張部が伸張する領域の大きさを決定することを特徴とする画像処理装置。
【請求項２】
請求項１に記載の画像処理装置であって、
前記画像サイズ変更部は、前記伸張画像データメモリから読み出した画像データ及び前記境界画像データメモリから読み出した境界画像データを用いて、前記伸張画像データメモリから読み出した領域の画像のサイズを変更することを特徴とする画像処理装置。
【請求項３】
請求項２に記載の画像処理装置であって、
前記画像サイズ変更部は、前記伸張画像データメモリから読み出した画像データ及び前記境界画像データメモリから読み出した境界画像データを用いて、サイズ変更後の画像データを補間計算により算出することを特徴とする画像処理装置。
【請求項４】
圧縮画像データを格納する圧縮画像データメモリと、
画像の一部を構成し前記画像の幅と同一の幅を有する領域毎に、前記圧縮画像データメモリから読み出した圧縮画像データを伸張する画像伸張部と、
前記画像伸張部によって伸張された画像データを格納する伸張画像データメモリと、
前記伸張画像データメモリから読み出した画像データが示す領域の画像のサイズを変更する画像サイズ変更部と、
前記伸張画像データメモリの容量に基づいて、前記画像伸張部が伸張する領域及び前記画像伸張部の出力アドレスを決定する制御部と、を備え、
前記伸張画像データメモリは、前記伸張画像データメモリに格納される画像データが示す第２の領域に隣接する第１の領域の境界画像データを格納し、
前記制御部は、前記制御部によって決定された領域の圧縮画像データを伸張した画像データのサイズが前記伸張画像データメモリの容量以下となるよう、前記画像伸張部が伸張する領域の大きさを決定することを特徴とする画像処理装置。
【請求項５】
請求項４に記載の画像処理装置であって、
前記画像サイズ変更部が、前記境界画像データを用いて前記第２の領域の画像のサイズを変更する場合、前記制御部は、前記画像伸張部の出力アドレスを前記境界画像データの直後のアドレスに設定することを特徴とする画像処理装置。
【請求項６】
請求項５に記載の画像処理装置であって、
前記画像サイズ変更部が、前記境界画像データを用いて前記第２の領域の画像のサイズを変更する場合、前記制御部は、前記画像サイズ変更部の入力アドレスを前記第２の領域の画像データの先頭アドレスに設定することを特徴とする画像処理装置。
【請求項７】
請求項４に記載の画像処理装置であって、
前記伸張画像データメモリは、リングバッファであることを特徴とする画像処理装置。
【請求項８】
所定領域の圧縮画像データを伸張して得られた画像データを格納する伸張画像データメモリの容量以下、かつ前記伸張画像データメモリに格納されている画像データが示す領域に隣接する領域の境界画像データを格納する境界画像データメモリの容量以下となるよう、画像の一部を構成する領域の大きさを決定し、
前記決定された領域の圧縮画像データを伸張し、
伸張された画像データが示す領域の画像のサイズを変更し、
前記伸張された画像データの他の領域と隣接する境界画像データを前記境界画像データメモリに格納することを特徴とする画像処理方法。
【請求項９】
所定領域の圧縮画像データを伸張して得られた画像データを格納する伸張画像データメモリの容量以下となるよう、画像の一部を構成し前記が像の幅と同一の幅を有する領域の大きさを決定し、
前記決定された領域の圧縮画像データを伸張し、
伸張された画像データが示す領域の画像のサイズを変更し、
前記伸張画像データメモリの容量に基づいて、次に伸張する領域及び当該領域の圧縮画像データを伸張した画像データの前記伸張画像データメモリへの出力アドレスを決定することを特徴とする画像処理方法。
【発明の詳細な説明】
【技術分野】
【０００１】
本発明は、圧縮画像データを処理する画像処理装置及び画像処理方法であって、得に、伸張された画像を任意のサイズに変更する画像処理装置及び画像処理方法に関する。
【背景技術】
【０００２】
ＪＰＥＧ等の方式で圧縮されたデジタル画像データを再生する際は、圧縮画像データが伸張された後、表示部が表示可能なサイズに画像サイズが変更される。図８は、従来の画像処理装置を示すブロック図である。図８に示す画像処理装置は、圧縮画像データメモリ１１と、画像伸張部１３と、伸張画像データメモリ１５と、画像サイズ変更部１７と、フレームメモリ１９とを備える。
【０００３】
圧縮画像データメモリ１１は、圧縮画像データを格納する。画像伸張部１３は、一画像の圧縮画像データの全てを伸張する。伸張画像データメモリ１５は、伸張された画像データを格納する。画像サイズ変更部１７は、図示しない表示部が表示可能なサイズに画像のサイズを変更する。フレームメモリ１９は、サイズが変更された画像のデータを格納する。
【０００４】
上記画像処理装置では、画像伸張部１３は一画像の圧縮画像データの全てを伸張する。画像サイズが大きい画像の圧縮画像データが伸張されると、データサイズの大きな画像データが得られるため、伸張画像データメモリ１５の容量は大きい必要がある。しかし、容量の大きなメモリは価格等の点から好ましくない。このため、特開２００３−１０１９３４号公報に開示されている画像処理装置は、複数の領域から構成される画像の領域毎に圧縮画像データを伸張し、伸張した領域内の画素データを補間計算して画像サイズを変更する。当該装置によれば、圧縮画像データが領域毎に伸張されるため、伸張された画像データを格納するメモリの容量を小さくすることができる。
【０００５】
【特許文献１】特開２００３−１０１９３４号公報
【発明の開示】
【発明が解決しようとする課題】
【０００６】
しかし、領域内の画素データを補間計算する方法では、画像サイズを変更する際の縮小率及び拡大率に制約がある。このため、画像を任意の画像サイズに変更する際には煩雑な処理を行う必要がある。
【０００７】
本発明の目的は、伸張された画像データを格納するメモリの容量が小さく、かつ、画像を任意のサイズに変更可能な画像処理装置及び画像処理方法を提供することである。
【課題を解決するための手段】
【０００８】
本発明は、圧縮画像データを格納する圧縮画像データメモリと、画像の一部を構成する領域毎に、前記圧縮画像データメモリから読み出した圧縮画像データを伸張する画像伸張部と、前記画像伸張部によって伸張された一領域の画像データを格納する伸張画像データメモリと、前記伸張画像データメモリに格納されている画像データが示す領域に隣接する領域の境界画像データを格納する境界画像データメモリと、前記伸張画像データメモリから読み出した画像データが示す領域の画像のサイズを変更する画像サイズ変更部と、前記伸張画像データメモリの容量及び前記境界画像データメモリの容量に基づいて、前記画像伸張部が伸張する領域を決定する制御部と、を備え、前記制御部は、前記制御部によって決定された領域の圧縮画像データを伸張した画像データのサイズが前記伸張画像データメモリの容量以下かつ前記境界画像データメモリの容量以下となるよう、前記画像伸張部が伸張する領域の大きさを決定する画像処理装置を提供する。
【０００９】
上記画像処理装置では、前記画像サイズ変更部は、前記伸張画像データメモリから読み出した画像データ及び前記境界画像データメモリから読み出した境界画像データを用いて、前記伸張画像データメモリから読み出した領域の画像のサイズを変更する。
【００１０】
上記画像処理装置では、前記画像サイズ変更部は、前記伸張画像データメモリから読み出した画像データ及び前記境界画像データメモリから読み出した境界画像データを用いて、サイズ変更後の画像データを補間計算により算出する。
【００１１】
本発明は、圧縮画像データを格納する圧縮画像データメモリと、画像の一部を構成し前記画像の幅と同一の幅を有する領域毎に、前記圧縮画像データメモリから読み出した圧縮画像データを伸張する画像伸張部と、前記画像伸張部によって伸張された画像データを格納する伸張画像データメモリと、前記伸張画像データメモリから読み出した画像データが示す領域の画像のサイズを変更する画像サイズ変更部と、前記伸張画像データメモリの容量に基づいて、前記画像伸張部が伸張する領域及び前記画像伸張部の出力アドレスを決定する制御部と、を備え、前記伸張画像データメモリは、前記伸張画像データメモリに格納される画像データが示す第２の領域に隣接する第１の領域の境界画像データを格納し、前記制御部は、前記制御部によって決定された領域の圧縮画像データを伸張した画像データのサイズが前記伸張画像データメモリの容量以下となるよう、前記画像伸張部が伸張する領域の大きさを決定する画像処理装置も提供する。
【００１２】
上記画像処理装置では、前記画像サイズ変更部が、前記境界画像データを用いて前記第２の領域の画像のサイズを変更する場合、前記制御部は、前記画像伸張部の出力アドレスを前記境界画像データの直後のアドレスに設定する。
【００１３】
上記画像処理装置では、前記画像サイズ変更部が、前記境界画像データを用いて前記第２の領域の画像のサイズを変更する場合、前記制御部は、前記画像サイズ変更部の入力アドレスを前記第２の領域の画像データの先頭アドレスに設定する。
【００１４】
上記画像処理装置では、前記伸張画像データメモリは、リングバッファである。
【００１５】
本発明は、所定領域の圧縮画像データを伸張して得られた画像データを格納する伸張画像データメモリの容量以下、かつ前記伸張画像データメモリに格納されている画像データが示す領域に隣接する領域の境界画像データを格納する境界画像データメモリの容量以下となるよう、画像の一部を構成する領域の大きさを決定し、前記決定された領域の圧縮画像データを伸張し、伸張された画像データが示す領域の画像のサイズを変更し、前記伸張された画像データの他の領域と隣接する境界画像データを前記境界画像データメモリに格納する画像処理方法を提供する。
【００１６】
本発明は、所定領域の圧縮画像データを伸張して得られた画像データを格納する伸張画像データメモリの容量以下となるよう、画像の一部を構成し前記が像の幅と同一の幅を有する領域の大きさを決定し、前記決定された領域の圧縮画像データを伸張し、伸張された画像データが示す領域の画像のサイズを変更し、前記伸張画像データメモリの容量に基づいて、次に伸張する領域及び当該領域の圧縮画像データを伸張した画像データの前記伸張画像データメモリへの出力アドレスを決定する画像処理方法も提供する。
【発明の効果】
【００１７】
本発明に係る画像処理装置及び画像処理方法によれば、伸張された画像データを格納するメモリの容量が小さく、かつ、画像を任意のサイズに変更することができる。
【発明を実施するための最良の形態】
【００１８】
以下、本発明の実施形態について、図面を参照して説明する。
【００１９】
（第１の実施形態）
図１は、第１の実施形態の画像処理装置の構成を示すブロック図である。図１に示すように、第１の実施形態の画像処理装置は、圧縮画像データメモリ１０１と、画像伸張部１０３と、伸張画像データメモリ１０５と、画像サイズ変更部１０７と、フレームメモリ１０９と、境界画像データメモリ１１１と、ＤＭＡコントローラ１１３と、コントローラ１１５とを備える。
【００２０】
圧縮画像データメモリ１０１は、圧縮画像データを格納する。画像伸張部１０３は、コントローラ１１５によって決定された画像の領域毎に圧縮画像データを伸張する。伸張画像データメモリ１０５は、画像伸張部１０３によって伸張された一領域の画像データを格納する。画像サイズ変更部１０７は、伸張画像データメモリ１０５から領域毎に画像データを読み出して、読み出した領域の画像のサイズを変更する。また、画像サイズ変更部１０７は、他の領域と隣接する複数の画素を補間計算する。なお、画像サイズ変更部１０７が補間計算を行う際、後述する境界画像データメモリ１１１に画像データが格納されていれば、画像サイズ変更部１０７は、境界画像データメモリ１１１からも画像データを読み出す。この場合、画像サイズ変更部１０７は、伸張画像データメモリ１０５から読み出した画像データ及び境界画像データメモリ１１１から読み出した画像データを用いて補間計算を行う。フレームメモリ１０９は、サイズが変更された領域の画像のデータを格納する。
【００２１】
境界画像データメモリ１１１は、画像サイズ変更部１０７が補間計算を行う上で必要な画像データ（境界画像データ）を格納する。なお、境界画像データは、伸張画像データメモリ１０５から転送される。ＤＭＡコントローラ１１３は、伸張画像データメモリ１０５から境界画像データメモリ１１１への画像データの転送を制御する。コントローラ１１５は、画像伸張部１０３、画像サイズ変更部１０７及びＤＭＡコントローラ１１３を制御する。コントローラ１１５は、画像伸張部１０３が圧縮画像データを伸張する単位となる領域の大きさを、伸張画像データメモリ１０５及び境界画像データメモリ１１１の各容量を参照して決定する。このとき、コントローラ１１５は、一領域の伸張された画像データのサイズが伸張画像データメモリ１０５の容量以下かつ境界画像データメモリ１１１の容量以下となるように、領域の大きさを決定する。また、コントローラ１１５は、補間係数の初期値を画像サイズ変更部１０７に設定する。
【００２２】
図２は、第１の実施形態の画像処理装置の動作を示すフローチャートである。まず、ステップＳ１０１では、コントローラ１１５が、画像サイズ変更部１０７に設定する補間係数の初期値を初期化する。次に、ステップＳ１０３では、コントローラ１１５が、画像伸張部１０３が伸張する領域を決定し、画像伸張部１０３に設定する。次に、ステップＳ１０５では、画像伸張部１０３が、ステップＳ１０３で決定された領域の圧縮画像データを圧縮画像データメモリ１０１から読み出して伸張し、伸張された画像データを伸張画像データメモリ１０５に格納する。次に、ステップＳ１０７では、コントローラ１１５が、補間係数の初期値を画像サイズ変更部１０７に設定する。次に、ステップＳ１０９では、画像サイズ変更部１０７が、伸張画像データメモリ１０５から画像データを読み出して、当該画像データが示す領域の画像のサイズを変更し、サイズが変更された画像のデータをフレームメモリ１０９に格納する。
【００２３】
次に、ステップＳ１１１では、画像中の全ての領域に対して伸張及びサイズ変更が行われたかをコントローラ１１５が判断し、全ての領域が処理済みであれば（ＹＥＳ）当該画像に対する処理を終了し、未処理の領域があれば（ＮＯ）ステップＳ１１３に進む。ステップＳ１１３では、隣接する領域の画像データの補間計算のために、ステップＳ１０５で伸張画像データメモリ１０５に格納された画像データ内、境界画像データを境界画像データメモリ１１１に転送する必要があるかをコントローラ１１５が判断し、必要があれば（ＹＥＳ）ステップＳ１１５に進み、必要がなければステップＳ１１７に進む。ステップＳ１１５では、ＤＭＡコントローラ１１３が、伸張画像データメモリ１０５から境界画像データメモリ１１１に境界画像データを転送した後、ステップＳ１１７に進む。ステップＳ１１７では、コントローラ１１５が、隣接する領域の画像のサイズを変更する際にステップＳ１０７で画像サイズ変更部１０７に設定する補間係数の初期値を計算する。ステップＳ１１７の終了後、ステップＳ１０１に戻り処理を続ける。
【００２４】
画像が複数の色成分を有する場合、上述した画像サイズの変更を色成分毎に行う。また、伸張画像データメモリ１０５から境界画像データメモリ１１１への画像データの転送は、ＤＭＡコントローラ１１３によらずＣＰＵ等のプロセッサを用いて行っても良い。
【００２５】
以上説明したように、本実施形態の画像処理装置によれば、大容量の伸張画像データメモリを用いなくても所望のサイズに画像のサイズを変更することができる。すなわち、小さな容量の伸張画像データメモリ１０５で任意のサイズに画像をサイズ変更することができる。
【００２６】
（第２の実施形態）
第２の実施形態では、図３に示されるように、一領域の幅が画像の幅と同一に設定される。すなわち、画像を複数の領域に分ける際に、当該画像は垂直方向に分割されない。また、伸張画像データメモリがリングバッファによって構成されている。
【００２７】
図４は、第２の実施形態の画像処理装置の構成を示すブロック図である。図４に示すように、第２の実施形態の画像処理装置は、圧縮画像データメモリ２０１と、画像伸張部２０３と、伸張画像データメモリ２０５と、画像サイズ変更部２０７と、フレームメモリ２０９と、コントローラ２１１とを備える。
【００２８】
圧縮画像データメモリ２０１は、圧縮画像データを格納する。画像伸張部２０３は、コントローラ２１１によって決定された画像の領域毎に圧縮画像データを伸張する。伸張画像データメモリ２０５は、画像伸張部２０３によって伸張された一領域の画像データを格納する。なお、本実施形態の伸張画像データメモリ２０５は、リングバッファである。このため、画像伸張部２０３は、伸張画像データメモリ２０５への伸張された画像データの書き込み中に最終アドレスまで達すると、続いて先頭アドレスから上書きして格納する。
【００２９】
画像サイズ変更部２０７は、伸張画像データメモリ２０５から領域毎に画像データを読み出して、読み出した領域の画像のサイズを変更する。また、第１の実施形態と同様に、画像サイズ変更部２０７は、他の領域と隣接する複数の画素を補間計算する。例えば、図３に示すように、第１の領域３０１と第２の領域３０２とが互いに隣接する場合、画像サイズ変更部２０７は、第１の領域３０１の下端にある第２の領域３０２と隣接する複数の画素（境界画像データ）３１１を補間計算する。フレームメモリ２０９は、サイズが変更された領域の画像のデータを格納する。
【００３０】
コントローラ２１１は、画像伸張部２０３及び画像サイズ変更部２０７を制御する。また、コントローラ２１１は、補間係数の初期値を画像サイズ変更部２０７に設定する。さらに、コントローラ２１１は、画像伸張部２０３が圧縮画像データを伸張する単位となる領域の大きさ及び画像伸張部２０３の出力アドレスを、伸張画像データメモリ２０５の容量を参照して決定する。このとき、コントローラ２１１は、一領域の伸張された画像データのサイズが伸張画像データメモリ２０５の容量以下となるように、当該領域の大きさ及び画像伸張部２０３の出力アドレスを決定する。画像伸張部２０３の出力アドレスとは、画像伸張部２０３によって伸張された伸張画像データが格納される伸張画像データメモリ２０５中の先頭のアドレスである。
【００３１】
画像サイズ変更部２０７が図３に示す第２の領域３０２の画像サイズを変更する際に第１の領域３０１の下端の境界画像データ３１１を必要としない場合、コントローラ２１１は、図５に示すように、画像伸張部２０３の出力アドレスを伸張画像データメモリ２０５の先頭アドレスに設定する。図５は、先頭アドレスから第１の領域３０１の画像データが格納された伸張画像データメモリ２０５を示す図である。
【００３２】
一方、画像サイズ変更部２０７が境界画像データを必要とする場合、コントローラ２１１は、図６に示すように、伸張画像データメモリ２０５に格納されている第１の領域３０１の画像の境界画像データ３１１が第２の領域３０２の画像データによって上書きされないように、画像伸張部２０３の出力アドレスを当該境界画像データ３１１の直後のアドレスに設定する。図６は、第１の領域３０１の画像の境界画像データ３１１の直後のアドレスから最終アドレス、さらに先頭アドレスから続いて第２の領域３０２の画像データが格納された伸張画像データメモリ２０５を示す図である。
【００３３】
さらに、コントローラ２１１は、画像サイズ変更部２０７の入力アドレスを設定する。画像サイズ変更部２０７の入力アドレスとは、画像サイズ変更部２０７によって画像データが読み出される伸張画像データメモリ２０５中の先頭のアドレスである。画像サイズ変更部２０７が第２の領域３０２の画像サイズを変更する際に第１の領域３０１の下端の境界画像データ３１１を必要としない場合、コントローラ２１１は、画像サイズ変更部２０７の入力アドレスを伸張画像データメモリ２０５の先頭アドレスに設定する。一方、画像サイズ変更部２０７が境界画像データを必要とする場合、コントローラ２１１は、画像サイズ変更部２０７の入力アドレスを第２の領域３０２の画像データの先頭アドレスに設定する。
【００３４】
図７は、第２の実施形態の画像処理装置の動作を示すフローチャートである。まず、ステップＳ２０１では、コントローラ２１１が、画像サイズ変更部２０７に設定する補間係数の初期値を初期化する。次に、ステップＳ２０３では、コントローラ２１１が、画像伸張部２０３の出力アドレスに伸張画像データメモリ２０５の先頭アドレスを設定する。次に、ステップＳ２０５では、コントローラ２１１が、画像サイズ変更部２０７の入力アドレスに伸張画像データメモリ２０５の先頭アドレスを設定する。次に、ステップＳ２０７では、コントローラ２１１が、画像伸張部２０３が伸張する領域の大きさを決定し、画像伸張部２０３に設定する。
【００３５】
次に、ステップＳ２０９では、画像伸張部２０３が、ステップＳ２０７又は後述するステップＳ２１７で決定された領域の圧縮画像データを圧縮画像データメモリ２０１から読み出して伸張し、伸張された画像データを伸張画像データメモリ２０５に格納する。図６は、ステップＳ２０９で伸張画像データメモリ２０５に格納された画像データの例を示す図である。次に、ステップＳ２１１では、コントローラ２１１が、補間係数の初期値を画像サイズ変更部２０７に設定する。次に、ステップＳ２１３では、画像サイズ変更部２０７が、伸張画像データメモリ２０５から画像データを読み出して、当該画像データが示す領域の画像のサイズを変更し、サイズが変更された画像のデータをフレームメモリ２０９に格納する。
【００３６】
次に、ステップＳ２１５では、画像中の全ての領域に対して伸張及びサイズ変更が行われたかをコントローラ２１１が判断し、全ての領域が処理済みであれば（ＹＥＳ）当該画像に対する処理を終了し、未処理の領域があれば（ＮＯ）ステップＳ２１７に進む。ステップＳ２１７では、コントローラ２１１は、ステップＳ２０９で伸張した領域に隣接する領域の圧縮画像データを画像伸張部２０３が伸張する際の画像伸張部２０３の出力アドレス及び前記隣接する領域の大きさを決定し、画像伸張部２０３に設定する。次に、ステップＳ２１９では、コントローラ２１１は、画像サイズ変更部２０７の入力アドレスを決定し、画像サイズ変更部２０７に設定する。次に、ステップＳ２２１では、コントローラ２１１が、隣接する領域の画像のサイズを変更する際にステップＳ２１１で画像サイズ変更部２０７に設定する補間係数の初期値を計算する。ステップＳ２２１の終了後、ステップＳ２０９に戻り処理を続ける。
【００３７】
第１の実施形態と同様に、画像が複数の色成分を有する場合、上述した画像サイズの変更を色成分毎に行う。
【００３８】
以上説明したように、本実施形態の画像処理装置によれば、第１の実施形態で設けられた境界画像データメモリ１１１を備える必要がないため、全体のメモリサイズをより小さくすることができる。また、第１の実施形態で設けられたＤＭＡコントローラ２１１を備える必要がないため、簡単な構成の画像処理装置を提供することができる。
【産業上の利用可能性】
【００３９】
本発明に係る画像処理装置及び画像処理方法は、伸張された画像データを格納するメモリの容量が小さく、かつ、画像を任意のサイズに変更する画像処理装置等として有用である。
【図面の簡単な説明】
【００４０】
【図１】第１の実施形態の画像処理装置の構成を示すブロック図
【図２】第１の実施形態の画像処理装置の動作を示すフローチャート
【図３】第２の実施形態において複数の領域に分けられた画像を示す図
【図４】第２の実施形態の画像処理装置の構成を示すブロック図
【図５】先頭アドレスから第１の領域の画像データが格納された伸張画像データメモリを示す図
【図６】第１の領域の画像の境界画像データの直後のアドレスから最終アドレス、さらに先頭アドレスから続いて第２の領域の画像データが格納された伸張画像データメモリを示す図
【図７】第２の実施形態の画像処理装置の動作を示すフローチャート
【図８】従来の画像処理装置を示すブロック図
【符号の説明】
【００４１】
１０１，２０１  圧縮画像データメモリ
１０３，２０３  画像伸張部
１０５，２０５  伸張画像データメモリ
１０７，２０７  画像サイズ変更部
１０９，２０９  フレームメモリ
１１１  境界画像データメモリ
１１３  ＤＭＡコントローラ
１１５，２１１  コントローラ
【図１】
2007329752.tif 000003
【図２】
2007329752.tif 000004
【図３】
2007329752.tif 000005
【図４】
2007329752.tif 000006
【図５】
2007329752.tif 000007
【図６】
2007329752.tif 000008
【図７】
2007329752.tif 000009
【図８】
2007329752.tif 000010